(57)【要約】【課題】  コンパクトディスク包装・梱包材として、最少限のプラスチック使用量で一体成型でき、最も低コストなものを得る。【解決手段】  ディスク収納枚数厚より若干高目で、そのディスク束がほぼ丁度内接するように、内接緩衝柱１が、四角形で補強構造を施した底台２四隅に立上り、さらに底台２のほぼ真中に浮かし台３を立上げたものに、ディスク束をセットしてその上にディスク束固定緩衝台５を置いたもので、底台２四辺中央部に、ディスク外周に添うように外接緩衝柱４を、内接緩衝柱１と同じ高さで底台２に立上げることもでき、底台２と内接緩衝柱１・外接緩衝柱４にほぼピッタリ接してかぶせられ、ディスク束固定緩衝台５を天裏のほぼ真中に成した方形のフタ６を別途組合わせ、底台２とフタ６で噛合わせてロックできるようにすることもでき、底台２とフタ６を両者の一辺で一体化し、底台２とフタ６で噛合わせてロックもできるように、開閉箱形に一体成型することもできる。【選択図】  図１
0003105126.tif 000002
【実用新案登録請求の範囲】
【請求項１】
ディスク収納枚数厚より若干高目で、そのディスク束がほぼ丁度内接するように、内接緩衝柱１が、四角形で補強構造を施した底台２四隅に立上り、底台２のほぼ真中に、ディスク入力面以内のディスク穴周囲部にほぼ合うように浮かし台３を立上げ、これらをプラスチックで一体成型したものにディスク束をセットし、その上にディスク束固定緩衝台５を置くコンパクトディスク用緩衝柱台枠パッケージ。
【請求項２】
底台２四辺中央部でディスクが外接する位置に、ディスク外周に添うように外接緩衝柱４を、内接緩衝柱１と同じ高さで底台２に立上げた、請求項１記載のコンパクトディスク用緩衝柱台枠パッケージ。
【請求項３】
底台２と内接緩衝柱１・外接緩衝柱４にほぼピッタリ接してかぶせられ、ディスク束固定緩衝台５を天裏のほぼ真中に成した、プラスチックで一体成型した方形のフタ６を別途組合わせ、底台２とフタ６で噛合わせてロックもできるようにした、請求項１・２記載のコンパクトディスク用緩衝柱台枠パッケージ。
【請求項４】
底台２とフタ６を両者の一辺で一体化し、底台２とフタ６で噛合わせてロックもできるように、開閉箱形にプラスチックで一体成型した、請求項３記載のコンパクトディスク用緩衝柱台枠パッケージ。
【考案の詳細な説明】
【技術分野】
【０００１】    本考案はコンパクトディスクを包装・梱包するためのパッケージに関する。
【背景技術】
【０００２】    従来の多数枚のディスクを包装・梱包するパッケージにおいて、ディスク穴に差込む円柱が底台真中に一体化され、その底台にフタをかぶせて閉じる、ドラム型のスピンドルケースが知られている。
【考案の開示】
【考案が解決しようとする課題】
【０００３】    従来のスピンドルケースにあっては、底台とフタを別々にプラスチックで一体成型しなければならないため、コスト高でプラスチックの使用量も多くなり、また包装作業手間もかかる上、ドラム型ケースなので店頭ディスプレイの際、スキ間ができる等の問題点があった。
【課題を解決するための手段】
【０００４】    上記目的を達成するために、本考案の台枠パッケージにおいては、ディスク収納枚数厚より若干高目で、そのディスク束がほぼ丁度内接するように、内接緩衝柱１が、四角形で補強構造を施した底台２四隅に立上がり、底台２のほぼ真中に、ディスク入力面以内のディスク穴周囲部にほぼ合うように、浮かし台３を立上げたものである。【０００５】    そして、これらをプラスチックで一体成型したものにディスク束をセットし、その上にディスク束固定緩衝台５を置いたものである。【０００６】    また、底台２四辺中央部でディスクが外接する位置に、ディスク外周に添うように外接緩衝柱４を、内接緩衝柱１と同じ高さで底台２に立上げることもでき、その際、内接緩衝柱１を外すこともできる。【０００７】    さらに、底台２と内接緩衝柱１・外接緩衝柱４にほぼピッタリ接してかぶせられ、ディスク束固定緩衝台５をフタ６の天裏のほぼ真中に成した、プラスチックで一体成型した方形のフタ６を別途組合わせ、底台２とフタ６で噛合わせてロックできるようにすることもできる。【０００８】さらに、底台２とフタ６を両者の一辺で一体化し、底台２とフタ６で噛合わせてロックもできるように、開閉箱形にプラスチックで一体成型することもできる。
【考案の効果】
【０００９】    本考案の台枠パッケージは、必要最少限のプラスチックで一体成型できるので、省資源化・低コスト化を図れ、包装作業も簡単なので省力化も図れる等の効果があり、さらに全形が方形な上、積み重ねると底の縁はかま８に天の内接緩衝柱１・外接緩衝柱４がはまり、ズレ落ちずにしかもスキ間なく積み重ねることができる効果がある。【００１０】    また、底台２四隅に立上がった内接緩衝柱１によって、ほぼその高さまでディスクが多数枚固定して収納できる効果がある。【００１１】    さらに、浮かし台３とディスク束固定緩衝台５によって、収納ディスク束が上下にしっかり押え込まれて固定される上、ディスク入力面と印刷面が浮いてパッケージに接することなく、空気層で収納されるため熱や外圧等に対して、ディスクを安全に保護できる効果がある。【００１２】    その上、底台２の四隅に内接緩衝柱１が立上って、ディスクを固定・ガードしているので、荷くずれや角当てによる損傷を防げるため、そのままシュリンクパックや真空パック等でフィルムパック包装梱包できる効果があり、外接緩衝柱４を設けたものでは、さらにディスクの外接突出部もガードできる効果がある。【００１３】    また、本考案の台枠パッケージは、これがほぼピッタリ入る箱に収納することもでき、この場合、底台２・内接緩衝柱１・外接緩衝柱４が、箱の全コーナー・側面にピッタリ添って梁となり、箱がしっかり強化される効果がある。【００１４】    また、フタ６を別途に設けて底台２にかぶせるものは、フィルムパックや箱の必要が無く、フタ６を底台２にかぶせるだけで、収納ディスク束全体をカバーして保護できる効果があり、ディスク保存ファイル用としても活用できる効果がある。【００１５】    さらに、底台２とフタ６を一体成型し開閉箱形にしたものでは、箱を開閉するだけでディスクの収納・取出しがスピーディにできる効果があり、ディスク保存ファイル用としても一層便利に活用できる効果がある。
【考案を実施するための最良の形態】
【００１６】    図１に示すように、ディスクが乗る大きさの四角形の底台２四隅から、ほぼ丁度ディスクが内接するように、十字形立柱の内接緩衝柱１が、ディスク所望収納枚重ね厚より若干高目で、内角にディスクが入れやすいように少しアールをとって立上げている。【００１７】    さらに、図１に示すように、底台２のほぼ真中に、ディスク入力面以内のディスク穴周囲部にほぼ合うように、円形で適当厚の浮かし台３が立上り、図３に示すように、底台２の裏には，反らずに外圧にも耐えられる高さと幅で、外周囲に縁はかま８と、中にそれより低い補強梁７を内接緩衝柱１と浮かし台３を裏打補強する形で立上げている。【００１８】    そして、前記全てをプラスチックで一体成型しており、それに図２に示すように、収納枚数のディスクをセットした上に、そのディスク束厚と内接緩衝柱１の差高で、内接緩衝柱１にかからない形状のディスク束固定緩衝台５を、発泡プラスチックやダンボール紙等の緩衝材で別途に設けて置き、全体をシュリンクパックや真空パック等でフィルムパックしたり、箱に収納梱包するものである。
【実施例】
【００１９】    各図に示す内接緩衝柱１の十字形立柱は、柱を補強するために十字にした補強形態の一例であり、これに限らず補強形であれば自由な形にすることもでき、また図３に示す底台２の補強梁７も、底台２を補強する自由な形にすることもできる。【００２０】    また、図４に示すように、所望によって底台２四辺の中央部で、収納したディスクが外接する位置に、ディスク外周に添う円弧柱の外接緩衝柱４を、適当幅・厚で天をアールにして、内接緩衝柱１と同じ高さで底台２から立上げることもでき、また内接緩衝柱１を取って外接緩衝柱４のみとすることもできる。【００２１】    また、図５のフタ６を底台２から切離したもので、底台２と内接緩衝柱１・外接緩衝柱４がほぼピッタリ接してかぶさり、フタ６天裏ほぼ真中にディスク束固定緩衝台５を一体化した、方形のフタ６をプラスチックで一体成型して別途に設けて組合わせることもでき、そのフタ６の開口辺に引掛先をしたロックツメ１０を突出させ、それと噛合うように底台２にロック止め穴９をあけたものとしているが、両者でロックできる形であればこの形に限らず、またそれらの数や位置は自由にすることもでき、ディスク束固定緩衝台５も内接緩衝柱１の頭がはまる凹部を設けた、底台２と同じ四角形の平台にしたり、他の自由な形とすることもできる。【００２２】    さらに、図５に示すように、底台２の一辺とフタ６の開口辺の一辺をジョイントして、開閉箱形にプラスチックで一体成型することもでき、その際、ロックツメ１０とロック止め穴９は、前記と同要領でジョイント対辺部の両サイド近くに設けると良い。
【産業上の利用可能性】
【図面の簡単な説明】
【００２３】
【図１】  本考案のコンパクトディスク用緩衝柱台枠パッケージの実施例を示す斜視図である。
【図２】  図１にコンパクトディスクをセットし、その上にディスク束固定緩衝台５を置いた実施例を示す斜視図である。
【図３】  本考案のコンパクトディスク用緩衝柱台枠パッケージの実施例を示す底面図である。
【図４】  図１に外接緩衝柱４を加えた実施例を示す斜視図である。
【図５】  図１にフタ６をプラスチックで一体成型し、開閉箱形にした実施例を示す斜視図である。
【符号の説明】
【００２４】      １  内接緩衝柱
２  底台
３  浮かし台
４  外接緩衝柱
５  ディスク束固定緩衝台
６  フタ
７  補強梁
８  縁はかま
９  ロック止め穴
１０  ロックツメ
【図１】
0003105126.tif 000003
【図２】
0003105126.tif 000004
【図３】
0003105126.tif 000005
【図４】
0003105126.tif 000006
【図５】
0003105126.tif 000007